(57)【要約】【課題】送風モータの冷却効率を高めて送風モータのオーバーヒートをなくして耐久性を向上させ、さらに、振動音を抑えて使用者に不快感を与えることがない加湿装置を提供することを目的とする。【解決手段】送風モータを固定するモータ固定部に通気口を設け、この通気口に吸込口から取り込んだ空気を通過させて吹出口より排出させるバイパス通風経路を形成した。さらに、モータ固定部は防振部材とモータ固定部材から構成され、防振部材の送風モータとの取付け面を凹凸形状にして送風モータと防振部材との接触面積を少なくした。【選択図】図２
2007162965.tif 000002
【特許請求の範囲】
【請求項１】
室内の空気を吸込口から加湿手段を経由させ吹出口より排出させる経路で構成された通風経路と、前記通風経路内に設けられた送風ファンと、前記送風ファンを駆動する送風モータと、前記送風モータを固定するモータ固定部とを備え、前記モータ固定部に通気口を設け前記吸込口から取り込んだ空気を前記通気口を通過させて吹出口より排出させるバイパス通風経路を形成し、前記バイパス通風経路を通過する空気により前記送風モータを冷却することを特徴とする加湿装置。
【請求項２】
モータ固定部は、送風モータを挟み込む防振部材と、通気口を有し前記防振部材を外側から固定するモータ固定部材とから構成され、前記防振部材の送風モータとの取付け面を凹凸形状にしたことを特徴とする請求項１記載の加湿装置。
【発明の詳細な説明】
【技術分野】
【０００１】
本発明は、室内の乾燥を防止するための加湿装置に係わり、特に、送風ファンを駆動する送風モータのオーバーヒートを無くす構造に関するものである。
【背景技術】
【０００２】
従来の加湿装置では、室内の空気を吸込口から吸引し加湿手段にて加湿空気として吹出口から室内へ排出するための送風ファンと、この送風ファンを駆動するための送風モータを備えている。そして、加湿運転を行なう場合には、送風モータに通電して送風ファンを回転させるため、送風モータは発熱することになる。
【０００３】
送風モータで発生した熱を排出せずにそのままにしておくと内部に熱がこもってオーバーヒートになり、モータ軸受け温度が上昇しモータ軸受けに塗布されているグリースが乾燥してしまい送風モータが回転できなくなるという不具合が発生する可能性がある。そこで、送風モータで発生した熱を効率的に排出するために、吸込口付近に送風モータを配置し取り込まれた空気により冷却していた。（特許文献１）
【０００４】
また、送風モータを回転させることにより送風モータから振動が発生し、この振動が送風モータを固定している部品に伝達して振動音となることから、送風モータと部品の間に防振ゴムを取り付ける場合がある。したがって、送風モータから発生する振動は防振ゴムにより減衰されるため、加湿装置の振動音を低減することができる。
【特許文献１】特開２００３−２２２３６１号公報
【発明の開示】
【発明が解決しようとする課題】
【０００５】
しかしながら、送風モータを吸込口付近に配置した場合には、吸込口から異物を挿入される可能性が高くなるため、この異物により送風モータがロックしたり内部で短絡する等の危険性がある。また、送風モータを通風経路内に配置した場合には、加湿空気に暴露されるため、送風モータの防湿対策が必要となる。したがって、異物挿入防止や防湿対策のため送風モータの外郭を保護する部材が必要となることから、この保護部材により送風モータからの熱発散が妨げられ冷却効率が低下するという問題があった。
【０００６】
さらに、送風モータの振動を減衰させる防振ゴムを送風モータの外郭に直接取り付けた場合には、防振ゴムとの取付け面では送風モータからの熱発散が妨げられ冷却効率が低下するという問題があった。特に、送風モータからの振動を効率よく減衰させるために防振ゴムとの接触面を大きくした場合には、冷却効率がさらに低下することになる。
【０００７】
本発明は上記課題を解決するためのもので、送風モータの冷却効率を高めて送風モータのオーバーヒートをなくして耐久性を向上させ、さらに、振動音を抑えて使用者に不快感を与えることがない加湿装置を提供することを目的とする。
【課題を解決するための手段】
【０００８】
室内の空気を吸込口から加湿手段を経由させ吹出口より排出させる経路で構成された通風経路と、前記通風経路内に設けられた送風ファンと、前記送風ファンを駆動する送風モータと、前記送風モータを固定するモータ固定部とを備え、前記モータ固定部に通気口を設け前記吸込口から取り込んだ空気を前記通気口を通過させて吹出口より排出させるバイパス通風経路を形成し、前記バイパス通風経路を通過する空気により前記送風モータを冷却することを特徴とする加湿装置に係わるものである。
【０００９】
また、モータ固定部は、送風モータを挟み込む防振部材と、通気口を有し前記防振部材を外側から固定するモータ固定部材とから構成され、前記防振部材の送風モータとの取付け面を凹凸形状にしたことを特徴とする請求項１記載の加湿装置に係わるものである。
【発明の効果】
【００１０】
上述の構成にすることにより、バイパス通風経路を通過する空気により送風モータの熱が奪われ、さらに、防振部材との取付け面でも熱が奪われるため、送風モータの冷却効率が向上する。したがって、送風モータのオーバーヒートがなくなり耐久性が向上する。また、防振部材の凹凸形状によりモータ固定部に伝達される送風モータの振動は減少する。したがって、加湿装置の振動音が抑えられ使用者に不快感を与えることがない。
【発明を実施するための最良の形態】
【００１１】
好適と考える本発明の実施形態を、本発明の作用を示して簡単に説明する。
【００１２】
本発明は、送風モータを固定するモータ固定部に通気口を設け、この通気口に吸込口から取り込んだ空気を通過させて吹出口より排出させるバイパス通風経路を形成したものである。さらに、モータ固定部は防振部材とモータ固定部材から構成され、防振部材の送風モータとの取付け面を凹凸形状にしたものである。
【００１３】
つまり、吸込口から取り込まれた空気は、バイパス通風経路を通過する際に送風モータの熱を奪って吹出口から排出される。さらに、防振部材と送風モータとの接触面積が少ないため、防振部材の取付け面でも送風モータの熱が奪われるから送風モータの冷却効率が向上する。したがって、送風モータのオーバーヒートがなくなり耐久性が向上する。
【００１４】
また、防振部材との接触面積が少なくなるため、モータ固定部に伝達される送風モータの振動は減少する。したがって、加湿装置の振動音が抑えられ使用者に不快感を与えることがなくなる。
【実施例】
【００１５】
以下本発明の一実施例を図面により説明する。
【００１６】
図１より、１は加湿装置の本体ケース、２は本体ケース１の上部に位置し加湿装置の運転を制御するための操作部で、この操作部２と隣接する上部に本体ケース１内で加湿された加湿空気を室内に排出するための吹出口３を設けている。また、４は室内の空気を本体ケース１内部に取り入れるための吸込口である。
【００１７】
図２は加湿器の縦断面構成図であり、５は図示しない給水タンクから供給された水を一定水量貯える水槽部、６は水槽部５内に配置され水槽部５の水を吸水して湿潤する加湿手段としての気化フィルターである。さらに、７は送風ファンであり、８は送風ファン７を駆動するための送風モータである。また、９は吸込口４と気化フィルター８の間に配置され、送風ファン７によって吸込口４から取り入れられた空気を加熱する温風用ヒータである。
【００１８】
つまり、室内の空気が、吸込口４、温風用ヒータ９、気化フィルター６、送風ファン７、吹出口３から構成される通風経路１０を通過することにより加湿空気として再び室内に排出されることになる。なお、図における白矢印は本体ケース１内に取り入れられた空気の流れを、網掛け矢印は水分を含んだ加湿空気の流れを表している。
【００１９】
図３は送風ファン７と送風モータ８の取付け状況を示した要部拡大図であり、送風モータ８を固定するモータ固定部１１のモータ固定部材１２は、吸込口４側と吹出口３側を仕切るための仕切板１２Ａとモータ押え板１２Ｂから構成され、それぞれ通気口１３を設けてバイパス通風経路１４を構成している。つまり、このバイパス通風経路１４により吸込口４から取り入れられた室内の空気の一部は、図中の矢印で示したように気化フィルター６を通過しないで送風ファン７を経由して吹出口から排出されることになる。
【００２０】
また、送風モータ８は、両端を防振部材としての防振ゴム１５により挟み込まれて仕切板１２Ａとモータ押え板１２Ｂにより固定されている。つまり、図４の組立傾斜図に示すように仕切板１２Ａに送風モータ８を固定するには、防振ゴム１５、送風モータ８、防振ゴム１５、モータ押え板１２Ｂの順に組み付けることになる。したがって、送風モータ８から発生する振動は防振ゴム１５により減衰されるため、仕切版１２Ａとモータ押え板１２Ｂに伝達する振動は減少することになる。
【００２１】
さらに、図５は防振ゴム１５の上面図（ａ）と上面図（ａ）におけるＡ−Ａ断面図（ｂ）である。図より防振ゴム１５の送風モータ８との取付け面は、凹部１５Ａと、中心から放射状に形成された凸部１５Ｂから構成された凹凸形状になっている。そして、送風モータ８と防振ゴム１５の接触面積を少なくするため、送風モータ８と接触するのは凸部１５Ｂのみである。尚、本実施例では中心から放射状に凸部１５Ｂを形成した形状としているが、本実施例に限定されるものではない。
【００２２】
次に、以上の構成における動作を説明する。加湿装置を運転する場合、先ず図示していない給水タンクに水を入れ、これを本体ケース１内に挿入し指定位置に設置する。これにより水槽部５には給水タンクから一定量の水が流れ出し一定水位の水が貯えられる。その結果、水槽部５に設置されている気化フィルター６は毛細管現象により水槽部５の水を吸い上げ湿潤する。
【００２３】
この状態で操作部２の運転スイッチを入れ、湿度設定スイッチで目標とする湿度を選択すると、送風モータ８が駆動して送風ファン７が回転することにより室内の空気は吸込口４から本体ケース１内の通風経路１０に取り入れら、気化フィルター６を通過する際に加湿空気となり吹出口３から排出される。そして、設定湿度と図示しない湿度センサが検出した検出湿度の差に応じて、送風モータ８の回転数や温風用ヒータ９を制御して自動的に加湿運転が行なわれるようしている。
【００２４】
一方、送風ファン７が回転することにより吹出口３側は負圧となり吸込口４側は正圧となるが、この圧力差により吸込口４から取り入れられた室内の空気の一部はバイパス通風経路１４を勢いよく吹出口３側に流れることになる。したがって、このバイパス通風経路１４を流れる空気が送風モータ８で発生した熱を奪うために送風モータ８が冷却されるのである。
【００２５】
また、送風モータ８を挟み込んでいる防振ゴム１５の接触面を凸部１５Ｂのみとしているため、防振ゴム１５の凹部１５Ａでもバイパス通風経路１４を流れる空気が送風モータ８で発生した熱を奪うために送風モータ８が冷却されるのである。つまり、バイパス通風経路１４を通過する空気により送風モータ８が効率的に冷却されるのである。したがって、送風モータ８のオーバーヒートがなくなるため、送風モータ８の耐久性が向上するのである。
【００２６】
さらに、送風モータ８と防振ゴム１５の接触面を凸部１５Ｂのみとしているため、仕切板１２Ａとモータ押え板１２Ｂに伝達される送風モータ８の振動は減少することになる。したがって、加湿装置の振動音が抑えられ使用者に不快感を与えることがなくなるのである。
【図面の簡単な説明】
【００２７】
【図１】本発明の実施例の傾斜図である。
【図２】本発明の実施例の縦断面構成図である。
【図３】本発明の実施例の要部拡大断面図である。
【図４】本発明の実施例の組み付け傾斜図である。
【図５】本発明の防振部材の上面図（ａ）と上面図（ａ）におけるＡ−Ａ断面図（ｂ）である。
【符号の説明】
【００２８】
３    吹出口
４    吸込口
６    気化フィルター（加湿手段）
７    送風ファン
８    送風モータ
１０  通風経路
１１  モータ固定部
１２  モータ固定部材
１３  通気口
１４  バイパス通風経路
１５  防振ゴム（防振部材）
【図１】
2007162965.tif 000003
【図２】
2007162965.tif 000004
【図３】
2007162965.tif 000005
【図４】
2007162965.tif 000006
【図５】
2007162965.tif 000007